(57)【要約】【課題】簡単な操作で自動的にアラームが設定され、関連する時刻又は条件が満たされた場合に選択されたコンテンツが再生されるコンテンツ再生システム及びコンテンツ再生方法を提供する。【解決手段】コンテンツに関連付けられて日付、時刻などの時間情報、又は条件などの条件が記録されており、ユーザがコンテンツを選択するのみで、コンテンツ及び該コンテンツに関連付けられた時間情報が携帯端末装置にて受信され、時間情報が示す時間に自動的に、コンテンツが再生される。時間情報は、コンテンツの内容に関連する時間である。例えば、コンテンツが放送番組の番組情報を読み上げる音声であれば、番組情報に含まれる放送予定の日時である。【選択図】図１０
2011135534.tif 000002
【特許請求の範囲】
【請求項１】
記録されてある音声を含むコンテンツを読み出して送信するコンテンツ送信装置及び該コンテンツ送信装置に通信網を介して接続され、所定の時刻にコンテンツを再生するアラーム機能を有する携帯端末装置を含むシステムにおいて、
前記コンテンツには、該コンテンツの内容に対応する日付、曜日、及び時刻の内の少なくとも１つの時間情報が関連付けて記録されており、
前記コンテンツ送信装置は、
前記携帯端末装置からコンテンツを識別する識別情報を受信する手段と、
識別情報に基づき、コンテンツ及び該コンテンツに関連付けられてある時間情報を抽出する手段と、
抽出したコンテンツ及び時間情報を前記携帯端末装置へ送信する手段と
を備え、
前記携帯端末装置は、
コンテンツの選択を受け付ける手段と、
選択されたコンテンツの識別情報を前記コンテンツ送信装置へ送信する手段と、
前記コンテンツ送信装置から受信した前記コンテンツ及び時間情報に基づき、前記時間情報が示す時に前記コンテンツを再生する手段と
を備えることを特徴とするコンテンツ再生システム。
【請求項２】
前記コンテンツは、放送番組の日程及び内容を示す音声を含み、前記コンテンツに関連付けられる時間情報は、前記放送日程に対応した日付、曜日及び時刻の内の少なくとも１つであること
を特徴とする請求項１に記載のコンテンツ再生システム。
【請求項３】
記録されてある音声を含むコンテンツを読み出して送信するコンテンツ送信装置及び該コンテンツ送信装置に通信網を介して接続され、所定の時刻にコンテンツを再生するアラーム機能を有する携帯端末装置を含むシステムにおいて、
前記コンテンツには、該コンテンツの内容に対応する再生条件が関連付けて記録されており、
前記コンテンツ送信装置は、
前記携帯端末装置からコンテンツを識別する識別情報を受信する手段と、
識別情報に基づき、コンテンツ及び該コンテンツに関連付けられてある再生条件を抽出する手段と、
抽出したコンテンツ及び再生条件を前記携帯端末装置へ送信する手段と
を備え、
前記携帯端末装置は、
コンテンツの選択を受け付ける手段と、
選択されたコンテンツの識別情報を前記コンテンツ送信装置へ送信する手段と、
前記コンテンツ送信装置から受信した前記コンテンツ及び再生条件に基づき、前記再生条件が満たされた場合に前記コンテンツを再生する手段と
を備えることを特徴とするコンテンツ再生システム。
【請求項４】
前記携帯端末装置は、
日付、曜日、及び時刻の内の少なくとも１つの指定を受け付ける手段と、
受け付けた日付、曜日、及び時刻に対応するときに、コンテンツの送信要求を前記コンテンツ送信装置へ送信する手段と
を備え、
前記コンテンツ送信装置は、
前記携帯端末装置から送信された送信要求を受信する手段と、
受信した送信要求に基づき、コンテンツを特定する手段と、
特定したコンテンツが更新されているか否かを判断する手段と、
コンテンツが更新されている場合、前記携帯端末装置へ更新後のコンテンツを送信する手段と
を備え、
前記携帯端末装置は、前記送信要求に応じて前記コンテンツ送信装置から送信されたコンテンツを再生するようにしてあること
を特徴とする請求項１から３のいずれか１つに記載のコンテンツ再生システム。
【請求項５】
記録されてある音声を含むコンテンツを読み出して送信するコンテンツ送信装置に通信網を介して接続される携帯端末装置にて、所定の時刻に前記コンテンツを再生する方法であって、
前記コンテンツには、該コンテンツの内容に対応する日付、曜日、及び時刻の内の少なくとも１つの時間情報が関連付けて記録されており、
前記携帯端末装置は、
コンテンツの選択を受け付け、
選択されたコンテンツの識別情報を前記コンテンツ送信装置へ送信し、
前記コンテンツ送信装置は、
前記携帯端末装置から識別情報を受信し、
受信した識別情報に基づき、コンテンツ及び該コンテンツに関連付けられてある時間情報を抽出し、
抽出したコンテンツ及び時間情報を前記携帯端末装置へ送信し、
前記携帯端末装置は、
前記コンテンツ送信装置から受信した前記コンテンツ及び時間情報に基づき、前記時間情報が示す時に前記コンテンツを再生する
ことを特徴とするコンテンツ再生方法。
【発明の詳細な説明】
【技術分野】
【０００１】
本発明は、アラーム機能を有する携帯電話機などの端末装置でのアラームの設定方法に関し、特に、提供されるコンテンツを記録しているコンテンツサーバ装置からコンテンツを選択するという簡単な操作で自動的にアラームが設定され、関連する時刻又は条件が満たされた場合に選択されたコンテンツが再生されるコンテンツ再生システム及びコンテンツ再生方法に関する。
【背景技術】
【０００２】
昨今では、携帯電話機、携帯型音楽（動画）再生装置、及びＰＤＡ（Personal Digital Assistant）など、携帯型機器が普及しており、且つこれらの機器の機能は多様化している。携帯電話機又は携帯型音楽再生装置で実現できる機能は夫々の主な機能である電話機能又は音楽再生機能にとどまらない。携帯電話機でも、インターネットへの接続、音楽、動画の再生などが可能である。
【０００３】
携帯電話機に限らず、携帯型機器にはアラーム機能が設けられている場合がある。アラーム機能を用いる場合、ユーザは、アラーム設定アプリケーションを起動して時刻を設定し、設定した時刻に鳴動させるアラーム音及び音量を設定する作業を行なう。このとき、鳴動させるアラーム音として、インターネットを介してコンテンツプロバイダからコンテンツを取得し、取得したコンテンツをアラーム音として設定することも可能である。
【０００４】
アラーム機能は、起床時刻のみならず、スケジュールなどのリマインダ機能としても利用されている。特許文献１には、ユーザが予め登録しておいたアラーム鳴動時刻を、遠隔のサーバ装置から交通運行状況などに応じて修正してアラームの鳴動時刻を制御し、更に天候状況又は交通状況などの情報を端末装置へ通知するシステムが開示されている。
【０００５】
特許文献２には、テレビジョン放送の視聴機能を有する携帯電話機にて、ユーザが好みの番組を視聴できるように、携帯電話機に登録されている各種情報を用いてユーザのスケジュールと嗜好とに沿った放映番組の情報を提供する構成が提案されている。特に、携帯電話機に登録されているコンテンツの内容、メールの履歴などから、ユーザが好む番組を解析する構成、及び、携帯電話機に大抵設けられているアラーム機能にて設定されている起床時間などの時間情報から、ユーザが睡眠中などで視聴できない番組を抽出しないようにする構成が開示されている。
【先行技術文献】
【特許文献】
【０００６】
【特許文献１】特開２００７−１７０９１１号公報
【特許文献２】特開２００９−１４１８５７号公報
【発明の概要】
【発明が解決しようとする課題】
【０００７】
特許文献１に開示されている技術により、自動的にアラーム鳴動時刻が制御されるが、基準となる時刻は自身にて設定する必要があり、結局操作としては、従前から行なわれているように系端端末装置におけるアラーム設定と同様である。また、鳴動するアラームの音は自身で選択するか、スケジュールとは関係なく自動的に選択される。
【０００８】
特許文献２に開示されている技術により、ユーザが知らなかった自身の嗜好及びスケジュールに合うテレビジョン放送の情報を事前に知ることができるが、知り得た放送時間、放送チャンネル等の情報に基づき、自身でその時間に視聴しなければ結局見逃すことになる。アラーム機能を用いるとしても、自身で放送開始時刻、及びアラーム音などを設定しなければならない。
【０００９】
本発明は斯かる事情に鑑みてなされたものであり、提供されるコンテンツを記録しているコンテンツサーバ装置からコンテンツを選択するという簡単な操作で自動的にアラームが設定され、関連する時刻又は条件が満たされた場合に選択されたコンテンツが再生されるコンテンツ再生システム及びコンテンツ再生方法を提供することを目的とする。
【課題を解決するための手段】
【００１０】
本発明に係るコンテンツ再生システムは、記録されてある音声を含むコンテンツを読み出して送信するコンテンツ送信装置及び該コンテンツ送信装置に通信網を介して接続され、所定の時刻にコンテンツを再生するアラーム機能を有する携帯端末装置を含むシステムにおいて、前記コンテンツには、該コンテンツの内容に対応する日付、曜日、及び時刻の内の少なくとも１つの時間情報が関連付けて記録されており、前記コンテンツ送信装置は、前記携帯端末装置からコンテンツを識別する識別情報を受信する手段と、識別情報に基づき、コンテンツ及び該コンテンツに関連付けられてある時間情報を抽出する手段と、抽出したコンテンツ及び時間情報を前記携帯端末装置へ送信する手段とを備え、前記携帯端末装置は、コンテンツの選択を受け付ける手段と、選択されたコンテンツの識別情報を前記コンテンツ送信装置へ送信する手段と、前記コンテンツ送信装置から受信した前記コンテンツ及び時間情報に基づき、前記時間情報が示す時に前記コンテンツを再生する手段とを備えることを特徴とする。
【００１１】
本発明に係るコンテンツ再生システムは、前記コンテンツは、放送番組の日程及び内容を示す音声を含み、前記コンテンツに関連付けられる時間情報は、前記放送日程に対応した日付、曜日及び時刻の内の少なくとも１つであることを特徴とする。
【００１２】
本発明に係るコンテンツ再生システムは、記録されてある音声を含むコンテンツを読み出して送信するコンテンツ送信装置及び該コンテンツ送信装置に通信網を介して接続され、所定の時刻にコンテンツを再生するアラーム機能を有する携帯端末装置を含むシステムにおいて、前記コンテンツには、該コンテンツの内容に対応する再生条件が関連付けて記録されており、前記コンテンツ送信装置は、前記携帯端末装置からコンテンツを識別する識別情報を受信する手段と、識別情報に基づき、コンテンツ及び該コンテンツに関連付けられてある再生条件を抽出する手段と、抽出したコンテンツ及び再生条件を前記携帯端末装置へ送信する手段とを備え、前記携帯端末装置は、コンテンツの選択を受け付ける手段と、選択されたコンテンツの識別情報を前記コンテンツ送信装置へ送信する手段と、前記コンテンツ送信装置から受信した前記コンテンツ及び再生条件に基づき、前記再生条件が満たされた場合に前記コンテンツを再生する手段とを備えることを特徴とする。
【００１３】
本発明に係るコンテンツ再生システムは、前記携帯端末装置は、日付、曜日、及び時刻の内の少なくとも１つの指定を受け付ける手段と、受け付けた日付、曜日、及び時刻に対応するときに、コンテンツの送信要求を前記コンテンツ送信装置へ送信する手段とを備え、前記コンテンツ送信装置は、前記携帯端末装置から送信された送信要求を受信する手段と、受信した送信要求に基づき、コンテンツを特定する手段と、特定したコンテンツが更新されているか否かを判断する手段と、コンテンツが更新されている場合、前記携帯端末装置へ更新後のコンテンツを送信する手段とを備え、前記携帯端末装置は、前記送信要求に応じて前記コンテンツ送信装置から送信されたコンテンツを再生するようにしてあることを特徴とする。
【００１４】
本発明に係るコンテンツ再生方法は、記録されてある音声を含むコンテンツを読み出して送信するコンテンツ送信装置に通信網を介して接続される携帯端末装置にて、所定の時刻に前記コンテンツを再生する方法であって、前記コンテンツには、該コンテンツの内容に対応する日付、曜日、及び時刻の内の少なくとも１つの時間情報が関連付けて記録されており、前記携帯端末装置は、コンテンツの選択を受け付け、選択されたコンテンツの識別情報を前記コンテンツ送信装置へ送信し、前記コンテンツ送信装置は、前記携帯端末装置から識別情報を受信し、受信した識別情報に基づき、コンテンツ及び該コンテンツに関連付けられてある時間情報を抽出し、抽出したコンテンツ及び時間情報を前記携帯端末装置へ送信し、前記携帯端末装置は、前記コンテンツ送信装置から受信した前記コンテンツ及び時間情報に基づき、前記時間情報が示す時に前記コンテンツを再生することを特徴とする。
【００１５】
本発明では、携帯端末装置が通信網（有線又は無線）を介して接続するコンテンツ送信装置に記録されてある音声を含むコンテンツには、コンテンツの内容に対応する日付、曜日、時刻の内の少なくとも１つの時間情報、及び／又は再生条件が関連付けられている。時間情報は、コンテンツを提供するプロバイダによって指定されて記録されてもよいし、コンテンツの内容（音声、文字情報）から自動的に抽出されて記録されてもよい。再生条件は、コンテンツの内容が更新した場合、又はコンテンツの内容が特定の内容となったときなどである。
携帯端末装置で選択されたコンテンツの識別情報がコンテンツ送信装置へ送信され、コンテンツ送信装置にて選択されたコンテンツの識別情報に基づきコンテンツが抽出される。抽出されたコンテンツと、該コンテンツに関連付けられた時間情報又は生成条件が携帯端末装置へ送信される。受信されたコンテンツは、携帯端末装置にて共に受信された時間情報が示す時、又は再生条件が満たされた場合に再生される。
これにより、ユーザはアラーム時刻及びアラーム音の両方を設定せずとも、アラーム音となるコンテンツを指定することによって、抽出されるコンテンツを、該コンテンツの内容に関連した日時、又は、内容に関連した条件が満たされたときに自動的に再生（鳴動）させることができる。なお、コンテンツは音声のみならず、動画像、静止画像、及び／又は文字を含む場合もあってよい。更に、コンテンツはメインコンテンツとサブコンテンツとからなり、夫々を適宜タイミングで再生又は表示するようにしてもよい。
【００１６】
本発明では、コンテンツはテレビジョン、ラジオ、又はインターネット配信などの放送番組を示す番組情報、告知、宣伝等の音声を含み、コンテンツに関連付けられる時間情報は、放送日程に対応した日付、曜日及び時刻の内の少なくとも１つである。これにより、放送日程に対応した日付、例えば、放送日の朝、又は放送時間の直前に、放送番組の告知情報（放送時間、番組内容、出演者情報など）を読み上げる音声、及び動画像などが自動的に携帯端末装置にて再生される。
【００１７】
本発明では、指定された日時、曜日及び時刻のタイミングに、携帯端末装置からコンテンツ送信要求がコンテンツ送信装置に送信され、コンテンツ送信装置にて、更新されているか否かが判断され、更新されている場合のみに携帯端末装置へ当該更新されたコンテンツが送信される。
これにより、曜日、毎日の指定されたタイミングで最新の内容を示すコンテンツが自動的に送信され、携帯端末装置にて再生させることが可能である。
【発明の効果】
【００１８】
本発明による場合、簡単な操作で自動的にアラームが設定されるようにすることができ、更に、アラーム音として、コンテンツをそのコンテンツに対応する時間又は対応する条件が満たされたタイミングに自動的に再生させることができ、利便性が向上する。例えば、携帯端末装置に設けられているアラーム機能を利用してスケジュール管理をする場合に、アラーム音を、スケジュール内容に対応する音声又は動画などに自動的に設定することができ、より効果的なアラーム機能となる。
【００１９】
特に、携帯端末装置のアラーム機能を用い、放送番組の開始直前に、放送開始を予告するなどの放送番組の内容に対応する音声を自動的に再生することが実現できるので、番組の視聴を逃すことなくユーザに楽しませることも可能である。
【図面の簡単な説明】
【００２０】
【図１】本実施の形態におけるコンテンツ再生システムの構成を示すブロック図である。
【図２】本実施の形態におけるコンテンツ再生システムにて実行されるアラーム設定処理手順の一例を示すフローチャートである。
【図３】本実施の形態におけるクライアント装置の制御部が実行するアラーム鳴動処理手順の一例を示すフローチャートである。
【図４】本実施の形態におけるクライアント装置の制御部が実行するアラーム鳴動処理手順の一例を示すフローチャートである。
【図５】本実施の形態におけるコンテンツサーバ装置の制御部が実行する処理手順の一例を示すフローチャートである。
【図６】本実施の形態における表示部に表示される画面例を示す説明図である。
【図７】本実施の形態における表示部に表示される画面例を示す説明図である。
【図８】本実施の形態における表示部に表示される画面例を示す説明図である。
【図９】本実施の形態における表示部に表示される画面例を示す説明図である。
【図１０】本実施の形態における表示部に表示される画面例を示す説明図である。
【図１１】本実施の形態における表示部に表示される画面例を示す説明図である。
【図１２】本実施の形態における表示部に表示される画面例を示す説明図である。
【発明を実施するための形態】
【００２１】
以下本発明をその実施の形態を示す図面に基づき具体的に説明する。
【００２２】
図１は、本実施の形態におけるコンテンツ再生システムの構成を示すブロック図である。コンテンツ再生システムは、コンテンツサーバ装置１と、コンテンツサーバ装置１とインターネット等を含むネットワークＮを介して接続されるクライアント装置２とで構成される。
【００２３】
コンテンツサーバ装置１は、ユーザが用いるクライアント装置２におけるアラーム自動設定サービスを提供するサービス事業者が所有する。なお、実施の形態１では、コンテンツは、テレビジョン放送、ラジオ放送又はインターネット放送における番組の内容を示す音声を含むデータであり、コンテンツを再生すべき日付、曜日又は時刻などの時間情報は番組情報として記録される。コンテンツ及び番組情報は、放送局などのコンテンツ事業者から提供され、ネットワークＮを介して接続されるコンテンツ事業者所有の情報処理装置３から送信されて記録される構成としてもよい。
【００２４】
コンテンツサーバ装置１は、サーバコンピュータを用い、制御部１０、記録部１１、一時記憶部１２、及び通信部１３を備える。
【００２５】
制御部１０はＣＰＵ（Central Processing Unit）、ＭＰＵ（Micro Processing Unit）等を用い、記録部１１に記録されている制御プログラム１Ｐを読み出して実行することによりサーバコンピュータを本発明に係るコンテンツサーバ装置１（コンテンツ送信装置）として動作させる。
【００２６】
記録部１１はハードディスクドライブ又はＳＳＤ（Solid State Drive）などの記録装置を用いる。記録部１１には、制御プログラム１Ｐ、コンテンツデータベース（以下コンテンツＤＢという）１１１、番組情報データベース（以下番組情報ＤＢという）１１２、及び画面情報データベース（以下画面情報ＤＢという）１１３が記録されており、制御部１０により読み出し可能である。記録部１１は、サーバコンピュータとは別の装置として構成され、制御部１０からＤＢの内容が読み出し可能に接続されていてもよい。
【００２７】
コンテンツＤＢ１１１には、放送番組の開始時間、終了時間、及び番組内容などの番組情報を読み上げる音声を含むコンテンツが記録してある。コンテンツは他に、放送番組に関する静止画像、動画像、文字情報等を含んでもよい。各コンテンツにはコンテンツを識別して特定するための識別情報が対応付けられている。なおコンテンツは、図１に示すようにメインコンテンツとサブコンテンツとで構成されていてもよく、例えば再生時にいずれかを指定することが可能である。
【００２８】
番組情報ＤＢ１１２には、コンテンツに関連付けられた各番組の放送日程、放送チャンネルを含む番組情報が記録してある。番組情報は、放送内容の文字情報を含んでもよい。また、番組情報は、番組の内容によっては、番組が再生される条件であってもよい。各番組情報には、コンテンツＤＢ１１１内の各コンテンツと対応する識別情報が対応付けられており、コンテンツＤＢ１１１内でコンテンツを特定した場合、当該識別情報により関連付けられた番組情報を番組情報ＤＢ１１２から読み出すことが可能である。
【００２９】
画面情報ＤＢ１１３には、コンテンツサーバ装置１によってアラーム自動設定サービスが提供されるときに、クライアント装置２へ送信される画面の情報を記録してある。なお、画面情報ＤＢ１１３に、各コンテンツに対応する画面を記録しておいてもよい。
【００３０】
一時記憶部１２は、ＤＲＡＭ（Dynamic Random Access Memory）、ＳＲＡＭ（Static RAM）等のＲＡＭを用いる。一時記憶部１２には、制御部１０の処理によって発生する情報が一時的に記憶される。通信部１３は、ネットワークカードを用い、ネットワークＮを介した通信を実現する。
【００３１】
クライアント装置２は携帯電話機を用い、制御部２０、記録部２１、一時記憶部２２、計時部２３、通信部２４、操作部２５、表示部２６及び音声出力部２７を備える。なおクライアント装置２は、携帯電話機のみならず、ＰＤＡ、携帯型音楽動画再生機器でもよいし、パーソナルコンピュータでもよい。携帯型音楽動画再生装置を用いる場合には、通信部を備えずともよく、この場合、楽曲又は動画データの更新のために接続されるパーソナルコンピュータの通信機能を介してコンテンツサーバ装置１からコンテンツ及び番組情報（時間情報）を受信する。
【００３２】
制御部２０は、ＣＰＵ、ＭＰＵ等を用い、記録部２１に記録されている制御プログラム２Ｐを読み出して実行することにより、携帯電話機を本発明に係るクライアント装置２（携帯端末装置）として動作させる。
【００３３】
記録部２１はフラッシュメモリなどの記録装置を用いる。記録部２１には制御プログラム２Ｐが記録されるほか、以下に示す処理によってコンテンツサーバ装置１から受信したコンテンツ及び番組情報を記録してもよい。
【００３４】
一時記憶部２２は、ＤＲＡＭ、ＳＲＡＭ等のＲＡＭ又はフラッシュメモリを用い、制御部２０の処理によって発生する情報を一時的に記憶する。計時部２３は、発振子又はＧＰＳ（Global Positioning System）等を用いて時間を計測又は取得しており、制御部２０は計時部２３により現在の時刻を取得することができる。
【００３５】
通信部２４は、アクセスポイントＡＰとの携帯電話用の無線通信を実現するチップを用い、アクセスポイントＡＰ及びネットワークＮを介したコンテンツサーバ装置１との接続及び通信を実現する。
【００３６】
操作部２５は、携帯電話機の数字キー、文字キー、決定ボタン等の各種ボタンを含むインタフェースであり、各種ボタンが押下された場合に制御部２０へ通知する。表示部２６は、液晶パネル、有機ＥＬ（Electroluminescence）パネル等を用いたディスプレイ及び駆動回路を含み、制御部２０に与えられた画像情報に基づき画像を表示する。音声出力部２７は、スピーカ及びアンプ等の回路を含み、制御部２０に与えられた音声情報に基づき音声、音楽を出力する。
【００３７】
このように構成されるコンテンツ再生システムにおける動作をフローチャートを用いて説明する。図２は、本実施の形態におけるコンテンツ再生システムにて実行されるアラーム設定処理手順の一例を示すフローチャートである。
【００３８】
クライアント装置２の制御部２０は、ユーザの操作によってアラーム機能が起動されると、制御プログラム２Ｐの機能に基づき、アラーム設定に関して設定画面を表示部２６に表示させる（ステップＳ１）。制御部２０は、表示部２６の設定画面にて、日付指定、条件指定、日時指定、又は時間指定のいずれから指定するかの選択を受け付ける（ステップＳ２）。
【００３９】
このとき、ユーザは表示部２６に表示されている設定画面に基づき、操作部２５にて日付指定、条件指定、日時指定又は時間指定のいずれかを選択する。なお、ユーザは、条件指定を選択した場合、条件に対する判断をするための時間及び繰り返しを指定しておく。また、ユーザは、時間指定を選択した場合、時刻の到来を判断するための日付又は曜日を指定しておき、日付指定をした場合には時刻を指定しておく。
【００４０】
制御部２０は、操作部２５からの通知により選択された指定条件を記憶しておき（ステップＳ３）、指定条件をコンテンツサーバ装置１へ送信する（ステップＳ４）。
【００４１】
コンテンツサーバ装置１は、指定条件を受信し（ステップＳ５）、制御部１０は、受信した指定条件に基づきコンテンツの複数の候補を抽出し（ステップＳ６）、抽出したコンテンツの候補夫々の識別情報及び内容の概要を示す文字情報を示す画面を、画面情報ＤＢ１１３から読み出される画面情報を用いて作成し（ステップＳ７）、クライアント装置２へ通信部１３を介して送信する（ステップＳ８）。
【００４２】
クライアント装置２の制御部２０は、複数の候補及び夫々の内容の概要を含む画面を受信して表示部２６に表示させ（ステップＳ９）、複数の候補からいずれかの選択を操作部２５により受け付ける（ステップＳ１０）。制御部２０は、選択されたコンテンツの識別情報をコンテンツサーバ装置１へ送信する（ステップＳ１１）。
【００４３】
コンテンツサーバ装置１の制御部１０は、コンテンツの識別情報を受信し（ステップＳ１２）、受信した識別情報に基づきコンテンツをコンテンツＤＢ１１１から抽出し（ステップＳ１３）、受信した識別情報に基づき前記コンテンツに対応する番組情報を番組情報ＤＢ１１２から抽出する（ステップＳ１４）。制御部１０は、抽出したコンテンツ及び番組情報をクライアント装置２へ送信する（ステップＳ１５）。
【００４４】
クライアント装置２の制御部２０は、コンテンツサーバ装置１から送信されたコンテンツ及び番組情報を受信し、記録部２１に記録し（ステップＳ１６）、処理を終了する。
【００４５】
なお制御部２０は、日時指定及び日付指定の指定条件の場合には、一定期間が経過する都度（２４時間、又は１２時間など）、コンテンツ及び番組情報を取得して更新しておいてもよい。
【００４６】
図３及び図４は、本実施の形態におけるクライアント装置２の制御部２０が実行するアラーム鳴動処理手順の一例を示すフローチャートである。制御部２０は、以下の処理を繰り返し実行する。
【００４７】
制御部２０は、図２のフローチャートのステップＳ３で記憶してある設定されたアラームに対する指定条件が、条件指定であるか否かを判断する（ステップＳ２１）。制御部２０は、条件指定であると判断した場合、計時部２３に基づき、予め指定されてある時刻であるか否かを判断し（ステップＳ２２）、指定されている時刻でないと判断した場合（Ｓ２２：ＮＯ）、処理を終了する。制御部２０は、図３から図４の処理を繰り返して実行するから、指定されている時刻となるまで他のアラーム設定に対する処理を実行する。
【００４８】
制御部２０は、指定されてある時刻であると判断した場合（Ｓ２２：ＹＥＳ）、再生条件に関する情報を他のサーバからダウンロードなどにより取得する（ステップＳ２３）。制御部２０は、取得した情報に基づき、図２のフローチャートのステップＳ１６で記憶してある番組情報（再生条件）を満たすか否かを判断する（ステップＳ２４）。制御部２０は、条件を満たすと判断した場合（Ｓ２４：ＹＥＳ）、コンテンツサーバ装置１へ、対応するコンテンツの送信要求を送信する（ステップＳ２５）。
【００４９】
クライアント装置２の制御部２０は、送信要求を送信後（Ｓ２５）、送信要求に対応するコンテンツを受信したか否かを判断する（ステップＳ２６）。制御部２０は、送信要求に対応するコンテンツを受信したと判断した場合（Ｓ２６：ＹＥＳ）、受信したコンテンツを再生し、即ち音声出力部２７により音声を出力し（ステップＳ２７）、処理を終了する。ステップＳ２７では、コンテンツが画像を含む場合は当該画像を表示部２６に表示させる。
【００５０】
制御部２０は、条件を満たさないと判断した場合（Ｓ２４：ＮＯ）、条件を満たさない場合に再生するように指定されているアラーム音を音声出力部２７により鳴動させ（ステップＳ２８）、処理を終了する。このとき、条件を満たさない場合には何もせずに処理を終了してもよい。
【００５１】
制御部２０は、コンテンツを受信することなく所定時間が経過したと判断した場合（Ｓ２６：ＮＯ）、予め指定してあるアラーム音を鳴動させ（Ｓ２８）、処理を終了する。
【００５２】
制御部２０は、ステップＳ２１にて条件指定でないと判断した場合（Ｓ２１：ＮＯ）、日時指定であるか否かを判断し（ステップＳ２９）、日時指定であると判断した場合（Ｓ２９：ＹＥＳ）、図２のフローチャートのステップＳ１６にて記憶してある日時指定に係るコンテンツに関連付けられた番組情報と計時部２３に基づき、現在、番組情報が示す日時に対応する日時であるか否かを判断する（ステップＳ３０）。このとき制御部２０は、番組情報が示す日時よりも例えば１０分前を、対応する日時として判断処理を行なう。
【００５３】
制御部２０は、番組情報に対応する日時でないと判断した場合（Ｓ３０：ＮＯ）、処理を終了する。制御部２０は、図３の処理を繰り返して実行するから、番組情報に対応する日時となるまで他のアラーム設定に対する処理を実行する。
【００５４】
制御部２０は、番組情報に対応する日時であると判断した場合（Ｓ３０：ＹＥＳ）、日時指定に係る記録してあるコンテンツを再生し（ステップＳ３１）、処理を終了する。なおこのとき、制御部２０は、改めてステップＳ２５同様にコンテンツサーバ装置１へコンテンツ送信要求を送信し、更新後のコンテンツを受信して再生するようにしてもよい。
【００５５】
制御部２０は、ステップＳ２９にて日時指定でないと判断した場合（Ｓ２９：ＮＯ）、時間指定であるか否かを判断し（ステップＳ３２）、時間指定であると判断した場合（Ｓ３２：ＹＥＳ）、計時部２３に基づき、時間指定に対して予め指定されてある日付又は曜日であるか否かを判断し（ステップＳ３３）、指定されている日付又は曜日でないと判断した場合（Ｓ３３：ＮＯ）、処理を終了する。制御部２０は、処理を繰り返すから、指定されている日付又は曜日となるまで他のアラーム設定に対する処理を実行する。
【００５６】
制御部２０は、指定されてある日付又は曜日であると判断した場合（Ｓ３３：ＹＥＳ）、図２のフローチャートのステップＳ１６にて記憶してある時間指定に係るコンテンツに関連付けられた番組情報と計時部２３に基づき、現在、番組情報が示す時間に対応する時刻であるか否かを判断する（ステップＳ３４）。このときも対応する時刻とは、番組情報が示す時間の所定時間（例えば１０分）前とする。制御部２０は、番組情報に対応する時刻でないと判断した場合（Ｓ３４：ＮＯ）、処理を終了する。制御部２０は、図３の処理を繰り返して実行するから、対応する時刻が到来するまで他のアラーム設定に対する処理を実行する。
【００５７】
制御部２０は、番組情報が示す時間に対応する時刻であると判断した場合（Ｓ３４：ＹＥＳ）、時間指定に係る記録してあるコンテンツを再生し（ステップＳ３５）、処理を終了する。なおこのとき、制御部２０は、改めてステップＳ２５同様にコンテンツサーバ装置１へコンテンツ送信要求を送信し、更新後のコンテンツを受信して再生するようにしてもよい。
【００５８】
制御部２０は、ステップＳ３２にて時間指定でないと判断した場合（Ｓ３２：ＮＯ）、日付指定であるか否かを判断し（ステップＳ３６）、日付指定でないと判断した場合（Ｓ３６：ＮＯ）、処理を終了する。
【００５９】
制御部２０は、日付指定であると判断した場合（Ｓ３６：ＹＥＳ）、計時部２３に基づき、日付指定に対して予め指定されてある時刻であるか否かを判断する（ステップＳ３７）。制御部２０は、予め指定されてある時刻でないと判断した場合（Ｓ３７：ＮＯ）、処理を終了する。制御部２０は、処理を繰り返して実行するから、指定されてある時刻が到来するまで他のアラーム設定に対する処理を実行する。
【００６０】
制御部２０は、指定されてある時刻であると判断した場合（Ｓ３７：ＹＥＳ）、計時部２３に基づき、図２のフローチャートのステップＳ１６にて記憶してある日付指定に係るコンテンツに関連付けられた番組情報に基づき、現在、番組情報が示す時間に対応する日付であるか否かを判断する（ステップＳ３８）。制御部は、対応する日付でないと判断した場合（Ｓ３８：ＮＯ）、予め指定されてあるアラーム音を音声出力部２７により鳴動させ（ステップＳ３９）、処理を終了する。
【００６１】
制御部２０は、対応する日付であると判断した場合（Ｓ３８：ＹＥＳ）、日付指定に係る記録してあるコンテンツを再生し（ステップＳ４０）、処理を終了する。なおこのとき、制御部２０は、改めてステップＳ２５同様にコンテンツサーバ装置１へコンテンツ送信要求を送信し、更新後のコンテンツを受信して再生するようにしてもよい。
【００６２】
図５は、本実施の形態におけるコンテンツサーバ装置１の制御部１０が実行する処理手順の一例を示すフローチャートである。制御部１０は、クライアント装置２にて図３及び図４のフローチャートに示す鳴動処理が実行されている間、以下の処理を繰り返し実行する。
【００６３】
制御部１０は、送信要求を受信したか否かを判断し（ステップＳ５１）、受信していないと判断した場合（Ｓ５１：ＮＯ）、処理を終了する。なお処理は繰り返し実行されるから、制御部１０は送信要求を受信するまで待機する。
【００６４】
制御部１０は、送信要求を受信したと判断した場合（Ｓ５１：ＹＥＳ）、送信要求に係るコンテンツを特定し（ステップＳ５２）、特定したコンテンツがコンテンツＤＢ１１１で更新されているか否かを判断する（ステップＳ５３）。詳細には、制御部１０は、送信要求元のクライアント装置２を特定する情報を記憶しておき、前回のアラーム設定処理又は送信要求の時点から現在までの間に更新があったか否かを判断する。
【００６５】
制御部１０は、更新がされていると判断した場合（Ｓ５３：ＹＥＳ）、更新後のコンテンツを読み出してクライアント装置２へ送信する（ステップＳ５４）。このとき制御部１０は、対応する番組情報を番組情報ＤＢから読み出して再度共に送信してもよい。制御部１０は、更新がされていないと判断した場合（Ｓ５３：ＮＯ）、そのまま処理を終了する。
【００６６】
図２から図５のフローチャートに示した各処理について、表示部２６に表示される画面の具体例を示して詳細を説明する。図６から図１２は、本実施の形態における表示部２６に表示される画面例を示す説明図である。図６は、アラーム機能が起動されたときに表示される設定画面例である。設定画面には設定済みのアラームの一覧が表示されている。図中６０１の領域に、「目覚まし」という名前のアラームが表示されている。図中６０２は、「目覚まし」の内容を変更するためのボタンであり、ボタン６０２を操作部２５を介して、又はタッチにより押下すると設定画面が表示される。
【００６７】
図中６０３はアラーム設定にて選択できるコンテンツを全て表示するためのボタンであり、ボタン６０３が押下されると、制御部１０はステップＳ２における指定条件なしに、コンテンツの一覧の送信要求を送信し、受信したコンテンツ一覧を表示部２６に表示する。図中６０４は、アラーム機能の終了ボタンである。
【００６８】
図７は、図６のボタン６０２が押下された場合に表示される設定画面例である。図７には、日付指定起動のリンク（ボタン）６０６、条件指定起動のリンク（ボタン）６０７、日時指定起動のリンク（ボタン）６０５、時間指定起動のリンク（ボタン）６０８、及び図６の画面に戻るためのボタン６０９が示されている。図７に示すような設定画面にて、ステップＳ２における日付指定、条件指定、日時指定、又は時間指定のいずれから指定するかの選択を受け付けることが可能である。制御部１０からは、いずれの指定条件が選択されたかがコンテンツサーバ装置１へ送信され、コンテンツサーバ装置１では指定条件に応じてコンテンツの候補が抽出される。
【００６９】
図８は、図７の日時指定起動のリンク６０５が選択された場合（数字キー「３」が押下された場合又はスクロールがリンク６０５にある場合に「決定」ボタンが押下された場合）の絞り込み情報の画面例である。日時指定が選択された場合は、日付と時間が一意に特定される番組の番組情報がコンテンツとして抽出される。このとき、抽出される数が多いために図８に示すように絞り込みが可能に絞り込み条件を選択できるようにすることが好ましい。また、放映日程が近い順などによって抽出されてもよい。図８の画面例では、絞り込みのための情報の一覧６１０と図７の画面に戻るためのボタン６１１が示されている。図８の例では、放送番組のジャンル「スポーツ」「映画」「バラエティ」が表示されている。
【００７０】
図９は、図８の一覧６１０の内の「スポーツ」が選択された場合の、コンテンツの候補の識別情報及び内容の概要を含む文字情報を示す画面の例である。候補を表示する画面には、図９に示すように、コンテンツを選択するためのボタン６１２及び図８の画面に戻るためのボタン６１３が示されている。図９の例では、コンテンツの候補として２つの番組情報が表示されている。番組情報の内容を示す文字情報として、番組の放送局（チャンネル）、日付、開始時間、及び番組名が含まれている。
【００７１】
ユーザが、６／１４（月）放映予定の番組（日本×カメルーン）を視聴する予定で、当該番組の放送予定に関する情報をコンテンツとして選択するとする。この場合、放送予定の情報が選択されてボタン６１２が押下される。図１０は、ボタン６１２が押下された場合に表示される画面例を示す。図１０中６１４の領域には、放送予定の内容を示す文字情報が表示され、選択する場合に押下する決定ボタン６１５及び図９に戻るためのボタン６１６が表示されている。また、このとき、選択された番組の放送予定に関する音声がレビューとして出力される。
【００７２】
ユーザは、図１０に示すような放送番組の予定に関する情報をコンテンツとして選択する場合、決定ボタン６１５を押下する。決定ボタン６１５が押下された場合、制御部２０がこれを検知し、６／１４（月）放送予定の番組（日本×カメルーン）の情報の識別情報をコンテンツサーバ装置１へ送信する（Ｓ１１）。これにより、コンテンツサーバ装置１から、当該番組の放送予定を知らせる音声及び画像データがコンテンツとして、更に当該コンテンツに関連付けられる番組情報、即ち、放送日程「２０１０／６／１４（月）」及び「日本時間２３：００」の時間情報、及び番組内容を示す文字情報、画面情報などがクライアント装置２へ送信される（Ｓ１５）。
【００７３】
クライアント装置２では、送信されたコンテンツ（番組の放送予定を知らせる音声及び画像データ）と時間情報を含む番組情報とを記録部２１に記録しておく（Ｓ１６）。そして制御部２０がアラーム鳴動処理にて、設定アラームの指定条件が日時指定であると判断し（Ｓ２９：ＹＥＳ）、日時が「２０１０／６／１４（月）」及び「日本時間２３：００」に対応する日時、例えば２０１０年６月１４日２２時５０分であると判断したときに（Ｓ３０：ＹＥＳ）、コンテンツを再生する（Ｓ３１）。コンテンツの音声は例えば、「日本対カメルーンの試合が日本時間２３時にキックオフされます。…テレビにて放送されます。」などの音声である。なお、このときメインコンテンツとして、番組のテーマ曲をアラームとしてループ再生し、サブコンテンツとして、詳細な番組情報、例えば出演者の情報、主な見どころなどを読み上げる音声を再生してもよい。アラームにおけるスヌーズ機能を利用して、最初の再生時にはメインコンテンツ、２度目以降の再生時にはサブコンテンツを再生するようにしてもよい。
【００７４】
これにより、ユーザは、日付、時刻及びアラーム音を自身で設定することなく、コンテンツを選択するのみで自動的に日時を含めアラーム設定をすることができる。且つ、アラーム音として再生される音声は、その日時に関連する情報である。特に、上述のようにコンテンツが放送番組の情報であり、番組が放送される日時にアラームとして再生されるように自動的設定されるから、当該コンテンツを選択したユーザは、観たい番組の視聴を逃す可能性が低くなる。
【００７５】
なお日時のみならず、フローチャートを参照して説明したように、日付のみ、時間のみ、又は条件のみの設定も可能である。例えばユーザが、時間のみを指定する条件にてコンテンツをアラームとして再生させようとする場合、コンテンツサーバ装置１では、毎日又は平日のみ、土日のみなど定期的に同じ時間に繰り返される番組の情報を抽出してクライアント装置２へ送信する。クライアント装置２では、選択された番組の放送時間が設定される。曜日については自動的に設定されてもよいし、ユーザが指定してもよい。これにより、特定の曜日に、コンテンツが対応する時間に自動的にコンテンツが再生される。具体的には、ある番組が放送される曜日の番組放送時間より所定時間前に、放送を知らせる音声及び画像が再生され、ユーザは当該番組の視聴を逃す可能性が低くなる。
【００７６】
上述の実施の形態では、コンテンツは放送番組の内容を知らせる番組情報の音声であった。しかしながらコンテンツはこれに限らず、製品の広告宣伝及び発売スケジュールの製品情報、店舗情報、天気情報並びに交通情報を読み上げる音声を含む種々のコンテンツでもよい。
【００７７】
例えば、道路若しくは店舗の混雑情報を知らせるコンテンツ又は天気予報などのコンテンツであれば、混雑が発生している場合のみにユーザにお知らせがなされるように再生条件が番組情報ＤＢに記録されており、クライアント装置２はユーザが指定した時間に、再生条件に対する情報を取得し、再生条件が満たされているか否かを判断し、再生条件が満たされている場合に対応するコンテンツの送信要求をコンテンツサーバ装置１へ送信し、受信したコンテンツを再生する。コンテンツが天気予報であれば、気温又は降雨量などの再生条件によって再生する。
【００７８】
コンテンツが製品情報に関する音声であってもよい。日付指定がされた場合、日付にて特定される時間情報が関連付けられたコンテンツがコンテンツサーバ装置１で抽出されるが、このときコンテンツは商品の販売日等の情報を読み上げる音声であるとする。図１１は、図７の日付指定起動のリンク６０６が選択された場合（数字キー「１」が押下された場合など）の設定画面例である。図１１の画面例では、コンテンツ（アラーム音）を再生する時刻として「０７：００」が選択されており、月曜から金曜まで繰り返されるように指定されていること、日付指定起動ボタン６１７及び図７へ戻るボタン６１８が表示されている。ユーザが日付指定起動ボタン６１７を押下して日付指定が選択された場合、日付のみが一意に特定される情報がコンテンツとして抽出される。
【００７９】
図１２は、候補から選択されたコンテンツの識別情報及び内容の概要を含む文字情報を示す画面の例である。図１２中、６１９の領域に、選択されたコンテンツの情報が表示されており、また、選択する場合に押下する決定ボタン６２０及び前の画面に戻るためのボタン６２１が示されている。図１２の例では、選択されたコンテンツの例として、８／１に、ある会社から発売される製品の情報が表示されている。このときのコンテンツに関連付けられる番組情報（時間情報）は、発売日を含む。
【００８０】
ユーザが、８／１に発売される製品に関するコンテンツを選択するとする。この場合決定ボタン６２０が押下される。決定ボタン６２０が押下された場合、制御部２０がこれを検知し、製品情報のコンテンツの識別情報をコンテンツサーバ装置１へ送信する（Ｓ１１）。これにより、コンテンツ即ち製品に関する情報に関連付けられた日付、８月１日のユーザが指定した時間「０７：００」に、当該製品の発売日であることを知らせる音声（コンテンツ）が再生される。なお、スヌーズ機能として、製品の詳細内容を知らせる音声であるサブコンテンツが再生されるようにしてもよい。
【００８１】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００８２】
１  コンテンツサーバ装置
１０  制御部
１１  記録部
１１１  コンテンツＤＢ
１１２  番組情報ＤＢ（時間情報）
１Ｐ  制御プログラム
１３  通信部
２  クライアント装置
２０  制御部
２Ｐ  制御プログラム
２３  計時部
２４  通信部
２６  表示部
【図１】
2011135534.tif 000003
【図２】
2011135534.tif 000004
【図３】
2011135534.tif 000005
【図４】
2011135534.tif 000006
【図５】
2011135534.tif 000007
【図６】
2011135534.tif 000008
【図７】
2011135534.tif 000009
【図８】
2011135534.tif 000010
【図９】
2011135534.tif 000011
【図１０】
2011135534.tif 000012
【図１１】
2011135534.tif 000013
【図１２】
2011135534.tif 000014